(57)【要約】【課題】ねこ等のペットを屋内のみで快適に飼育することが出来る住宅であって、特に、ペットが屋外に逃げ出すことを防止し、かつペットが屋内で自由に運動、遊び、トイレ、居眠りをすることが出来、飼主と楽しく共生し得る住宅を目的とする。【課題を解決するための手段】住宅の開口部に所定のフェンス１６，２３，３０、ペット用網戸３４、パンチングメタル付開閉戸３５等を適宜取付け、ペットエリア３内にペット専用トイレ６、猫間５、キャットタワー１８、猫走り梁１９、猫階段２１、猫棚２７、ペットの食事スペース２６等を設け、さらに、ペットエリア３から玄関室７との間に１個の室内扉８を設置して構成したペット屋内飼育住宅である。【選択図】        図２
2004222603.tif 000002
【特許請求の範囲】
【請求項１】
ペットを屋内のみで飼育する住宅に於いて、ペットが屋外に逃げ出さないような開口部と間取りが夫々配慮されており、かつペットが自由に運動、遊び、排泄、居眠り或は飼主から離れて単独でやすめる等の室内空間が設けられていることを特徴としたペット屋内飼育住宅。
【請求項２】
前記住宅内の玄関室と住宅内のペットエリアとの間に１個の扉が設けられていることを特徴とした請求項１のペット屋内飼育住宅。
【請求項３】
前記室内空間にねこ等のペットが昇降し得るキャットタワー、猫棚、キャットウォーク階段、猫走り梁等の運動・遊び設備、或はペット専用トイレまたは猫間を設けて構成したことを特徴とした請求項１或は請求項２のペット屋内飼育住宅。
【発明の詳細な説明】
【０００１】
【発明の属する技術分野】
本発明は、ねこ等のペットを屋内のみで快適に飼育することが出来る住宅に係り、特にペットが屋外に逃げ出すことがないような開口部と間取りとを住宅に取り入れると共に、ペットが必要に応じて自由に運動、遊び、排泄、居眠り、或はペットが単独で自由にやすめる室内空間を設けて構成したペット屋内飼育住宅に関するものである。
【０００２】
【従来の技術】
従来、ねこ等の小型のペットは屋外にも自由に出入りすることが出来るように放し飼いにされていることが多かった。近年は、ペットを家族の一員として扱う傾向にあり、また交通事故やエイズ等の病気の感染の問題から、室内飼いされることが多くなってきた。環境省告示「家庭動物等の飼育及び保管に関する基準」においても、ねこについては室内飼いにつとめることが明記されている。このような傾向の中で、ペット愛好家は、従来の人間専用に設計された住宅に市販のペット用トイレ、ベッド、おり、遊び道具などを設置してペットと共生をしているのが、実情であった。
【０００３】
さらに、後述の特許文献１に示すように、ペットを収納し得るトイレ付きの箱状本体をスライデングサッシの窓枠に取付け、該箱状本体に開閉扉を設け、これによってペットが該箱状本体及び箱状本体の外側のベランダに自由に出入りすることが出来るようにした小動物用飼育装置も知られている。
【０００４】
【特許文献１】
特開平７―３１３０１２号公報
【０００５】
【発明が解決しようとする課題】
しかし、従来のペットの室内飼いやペットとの共生が考慮されていない住宅に於いて、ペットを屋内に閉じ込めた場合には、運動不足、自由な移動が困難等によってペットのストレスが溜まる一方で、飼主自身もペットの排泄物の臭いに悩まされたり、四六時中ペットと同居するためにストレスを感じる問題があった。また、一方ではペットを屋外に出した場合には、交通事故やペットがエイズ等の悪性の病原菌に侵される問題があった。
【０００６】
本発明は、前述の多くの問題点に鑑み開発された全く新しい発明であって、特にペットを屋内のみで快適に飼育することが出来るように、住宅の開口部と間取りとにペットが屋外に逃げ出すことがないように配慮し、かつペットが屋内のみで自由に運動、遊び、排泄、居眠り、或はペットが単独で自由にやすめる空間等を設けることによってペット並びに飼主に不快感を与えず、ストレスが溜まることがないようにしたペット屋内飼育住宅の技術を提供するものである。
【０００７】
【課題を解決するための手段】
猫等のペットは犬等のペットと違って、仲間と集団行動をする習性はなく、本来は単独で行動する習性を持っているので、思いたった時に自由に単独になって、安心して休めるための猫専用の空間が必要である。また、室内で家族とだけ暮らしているペットは来客に対しては警戒心が強くなるので、家内に来客があった際には、安心して隠れることが出来る場所が必要であることも判明した。
【０００８】
さらに、高い場所は敵からも安全であり、かつ周囲を見渡すことが出来るので獲物のハンティングにも好都合であるので、猫等のペットは高い場所を好む習性を有しており、このような高い場所を往復出来るようにすることで、ペットが運動したり、遊ぶことが出来ることは明らかである。
【０００９】
本発明は、これ等のペットの習性を充分に理解した上で、前述の問題を解決し、ペットと飼主との共生が可能なペット屋内飼育住宅の技術を提供せんとするものである。先ず、ねこ等の小型のペットを飼主とスムーズに共生しながら、ペットと飼主との夫々にストレスが掛からずに、快適に楽しくペットを飼育することが出来るペット用住宅を構成するに当っては、図１に示すような基本的構図が考えられる。
【００１０】
即ち、図１に於いて、最大円は敷地１を現わし、かつこの敷地１内の２番目に大きな円は住宅２を現わしている。該住宅２内の３番目に大きい円はペットエリア３を示し、このペットエリア３にはペットの屋内遊び場４、猫間５、ペット専用トイレ６が設けられている。
【００１１】
７は玄関室７であって、この玄関室７とペットエリア３との間にはペットが玄関室７から外に逃げ出すことを防止するための１個の室内扉８が設けられている。前期住宅２から敷地１側に隣接して、ペット庭９及びペットベランダ１０等のペットの外遊び場が設けられている。
【００１２】
前記ペット庭９及びペットベランダ１０等のペットの外遊び場は、夫々の一部が住宅２内に設けられており、その周りは後述のように猫返しフェンス、天井付フェンス等で囲しょうされてペットが逃げ出さないように構成されている。かつ、住宅２内のペットエリア３とペット庭９、ペットベランダ１０等のペットの外遊び場との間には、ペットが自由に出入りすることが出来る出入口１１が設けられている。
【００１３】
本発明に係るペット住宅は、前述の図１に示すペットと人とが楽しく快適に共生するための住宅２の内で、住宅２内に形成されるペットエリア３内のペットの屋内遊び場４、猫間５、ペットトイレ６と、該ペットエリア３外の玄関室７とに限定した住宅２内の所定のテリトリーに関する発明である。
【００１４】
本発明に係るペット屋内飼育住宅について具体的に説明すると、その第１発明の要旨は、ペットを屋内のみで飼育する住宅に於いて、ペットが屋外に逃げ出さないような開口部と間取りが夫々配慮されており、かつペットが屋内で自由に運動、遊び、トイレ、居眠り或は飼主から離れて単独でやすめる等をすることが出来る空間が設けられていることを特徴としたペット屋内飼育住宅である。
【００１５】
前述の第１発明に於いては、住宅の開口部と間取りとに夫々ペットが屋外に逃げ出さないような配慮をしたので、ペットは屋内のみで完全に飼育することが出来る。また、屋内にペットが自由に運動、遊び、排泄、居眠り或は飼主から離れて単独でやすめる等をすることが出来る空間を設けたので、ペット或は飼主の夫々に不快感を与えたり、或はストレスが溜まることを防止出来る。
【００１６】
本発明に係るペット屋内飼育住宅の第２発明の要旨は、前記住宅内の玄関室と住宅内のペットエリアとの間に１個の扉が設けられていることを特徴とした第１発明のペット屋内飼育住宅である。
【００１７】
前述の第２発明に於いては、住宅内の玄関室と住宅内のペットエリアとの間に１個の扉しか設けていないので、ペットの管理が容易であり、ペットが玄関より簡単に逃げ出すことを防止出来る。
【００１８】
本発明に係るペット屋内飼育住宅の第３発明の要旨は、前記屋内空間にねこ等のペットが昇降し得るキャットタワー、猫棚、キャットウォーク階段、猫走り梁等の運動・遊び設備、或はペット専用トイレまたは猫間を設けて構成したことを特徴とした第１発明或は第２発明のペット屋内飼育住宅である。
【００１９】
前述の第３発明に於いては、屋内空間にねこ等のペットが昇降し得るキャットタワー、猫棚、キャットウォーク階段、猫走り梁等の上下移動設備・遊び設備を設けたので、ねこ等のペットが屋内で自由に運動或は遊ぶことが出来る。これによって、ペットが運動不足になったり、ストレスが溜まることを防止出来る。また、飼主もペットの遊ぶのを眺めて楽しんだりすることが出来る。
【００２０】
さらに、第３発明に於いては、屋内にペット専用トイレを設けたので、ペットはこの専用トイレで用を足すことが出来、ペットの排泄物の臭いが居間に流れて来ることを防止出来る。かつ、屋内には猫間も設けられているので、ペットはこの猫間で自由にゆっくり居眠りをしたり、或はペットエリアに来客があった場合には、ペットはこの猫間に逃げ込むことが出来、これによってストレスを解消したり、来訪客或はペットの夫々に不快感を与えることを防止出来る。
【００２１】
【発明の実施の形態】
図により本発明に係るペット屋内飼育住宅の一実施例を具体的に説明すると、図１は人とペットとが共生することが出来るペット用住宅の基本構図を示す説明図、図２は本発明の第１実施例のペット屋内飼育住宅の平面図、図３は第２実施例のペット屋内飼育住宅の平面図、図４は猫間の正面図である。
【００２２】
図５はキャットタワー及び猫走り梁の正面図、図６は猫用飾り棚或は階段の側面図、図７はペットジムの内面図、図８は２階のテラスに設けた転落防止フェンスの内面図、図９はベランダフェンスの縦断面図、図１０はベランダフェンスの外観図、図１１はペット用網戸の説明図、図１２は金属メッシュ製バリア付開閉戸の説明図である。図１３はペットスルーサッシの斜視図である。
【００２３】
図２に於いて、１２は本発明の第１実施例のペット屋内飼育住宅であって、その１階に於いては、ペットエリア３内にペット専用トイレ６とペットが自由に出入りして単独になれる猫間５とが設けられている。この猫間５は、図４に例示する如く、２階に通ずる階段１３の下に設けられている。前記ペット専用トイレ６は洗面台１４の隣り或は洗面台の下部に設けられている。ペットエリア３と玄関室７との間にはペットが玄関室７に侵入することを防止するための１個の室内扉８が設置されている。
【００２４】
ペット屋内飼育住宅１２の所定の開口部には、図７に示すような濡れ縁１５が設けられると共に、その囲いがフェンス１６で囲まれたペットジム１７が形成されており、ペットがここで外気と日光に接することが出来るように構成されている。また、ペットエリア３には、図５に示す如きキャットタワー１８、猫走り梁１９、図６に示す如きペットが飛び上がることが出来るように左右に板２０を配置して構成した飾り棚兼用の猫棚２１が設けられている。
【００２５】
ペット屋内飼育住宅１２の２階の所定の開口部に設けられたテラス２２の囲いには、特に図８に示す如く、ペット転落防止フェンス２３が設けられており、ペットがテラス２２内で安全に遊んだり、居眠りをすることが出来るように構成されている。前記ペット屋内飼育住宅１２の１階及び２階の要所要所には、夫々ペットが自由に出入りすることが出来る図１３に示すようなペットスルーサッシ２４が取付けられている。
【００２６】
図３に於いて、２５は本発明の第２実施例のペット屋内飼育住宅であって、基本的には、前述の第１実施例のペット屋内飼育住宅１２と同一である。第１実施例のペット屋内飼育住宅１２と異なる点について、その要部を説明すると、次の通りである。
【００２７】
即ち、第２実施例のペット屋内飼育住宅２５の１階には、ペットの食事スペース２６、猫棚２７、ペット対応洗面台２８が設けられており、ペット専用トイレ６はこのペット対応洗面台２８の隣に設けられている。ペット屋内飼育住宅２５の２階のベランダ２９には、特に図９及び図１０に示す如きフェンス３０が腰壁３１の笠木３２とベランダ２９の軒先３３に亘って張設され、ペットがベランダ２９内で安全に外気や日光に当って、運動したり居眠りしたりすることが出来るように構成されている。
【００２８】
本発明に係るペット屋内飼育住宅１２に於いては、前述の如く、住宅の開口部にフェンス１６、２３、３０を設けてペットが屋外に逃げださないようにすると共に、例えば図１１、図１２に示す如く、開口部にペット用網戸３４、或は金属メッシュ製バリア付開閉戸３５等を開閉自在に取付けることによって、ペットが網戸等を破いて逃げ出すことを防止している。
【００２９】
【発明の効果】
本発明に於いては、住宅の開口部と間取りとに夫々ペットが屋外に逃げ出さないような配慮をしたので、ペットは屋内のみで完全に飼育することが出来る効果を有している。また、屋内にペットが自由に運動、遊び、排泄、居眠り或は飼主から離れて単独でやすめる等をすることが出来る空間を設けたので、ペット或は飼主の夫々に不快感を与えたり、或はストレスが溜まることを防止出来る効果も有している。
【００３０】
本発明に於いて、住宅の開口部にペット用網戸、金属メッシュ製バリア付開閉戸、ペット転落防止フェンス等を設けた場合には、ペットが破ったり、よじ登ったりして屋外に逃げ出したり、外方に転落することを防止出来る効果を有している。また、住宅内の玄関室と住宅内のペットエリアとの間に１個の扉しか設けていない場合には、ペットの管理が容易であり、ペットが玄関より簡単に逃げ出すことを防止出来る効果も有している。
【００３１】
本発明に於いて、屋内空間にねこ等のペットが昇降し得るキャットタワー、猫棚、キャットウォーク階段、猫走り梁等の上下移動設備・遊び設備を設けた場合には、ねこ等のペットが屋内で自由に運動或は遊ぶことが出来る効果を有している。これによってペットが運動不足になったり、ストレスが溜まることを防止出来る。また、飼主もペットの遊ぶのを眺めて楽しんだりすることが出来る。
【００３２】
さらに、本発明に於いて、屋内にペット専用トイレを設けた場合には、ペットはこの専用トイレで用を足すことが出来、ペットの排泄物の臭いが居間に流れて来ることを防止出来る効果を有している。かつ、屋内に猫間が設けられている場合には、ペットはこの猫間でゆっくり居眠りをしたり、或はペットエリアに来客があった場合には、ペットはこの猫間に逃げ込むことが出来、これによって来訪客或はペットの夫々に不快感を与えることを防止出来る効果も有している。
【図面の簡単な説明】
【図１】図１は人とペットとが共生することが出来るペット用受託の基本構図を示す説明図である。
【図２】図２は本発明の第１実施例のペット屋内飼育住宅の平面図である。
【図３】図３は第２実施例のペット屋内飼育住宅の平面図である。
【図４】図４は猫間の正面図である。
【図５】図５はキャットタワー及び猫走り梁の正面図である。
【図６】図６は猫用飾り棚或は階段の側面図である。
【図７】図７はペットジムの内面図である。
【図８】図８は２階のテラスに設けた転落防止フェンスの内面図である。
【図９】図９はベランダフェンスの縦断面図である。
【図１０】図１０はベランダフェンスの外観図である。
【図１１】図１１はペット用網戸の説明図である。
【図１２】図１２は金属メッシュ製バリア付開閉戸の説明図である。
【図１３】図１３はペットスルーサッシの斜視図である。
【符号の説明】
１    ・・・敷地
２    ・・・住宅
３    ・・・ペットエリア
４    ・・・ペットの屋内遊び場
５    ・・・猫間
６    ・・・ペット専用トイレ
７    ・・・玄関室
８    ・・・室内扉
９    ・・・ペット庭
１０  ・・・ペットベランダ
１１  ・・・出入口
１２  ・・・ペット屋内飼育住宅
１３  ・・・階段
１４  ・・・洗面台
１５  ・・・濡れ縁
１６  ・・・フェンス
１７  ・・・ペットジム
１８  ・・・キャットタワー
１９  ・・・猫走り梁
２０  ・・・板
２１  ・・・飾り棚兼用の猫棚
２２  ・・・テラス
２３  ・・・フェンス
２４  ・・・ペットスルーサッシ
２５  ・・・ペット屋内飼育住宅
２６  ・・・食事スペース
２７  ・・・猫棚
２８  ・・・ペット対応洗面台
２９  ・・・ベランダ
３０  ・・・フェンス
３１  ・・・腰壁
３２  ・・・笠木
３３  ・・・軒先
３４  ・・・網戸
３５  ・・・金属メッシュ製バリア付開閉戸
【図１】
2004222603.tif 000003
【図２】
2004222603.tif 000004
【図３】
2004222603.tif 000005
【図４】
2004222603.tif 000006
【図５】
2004222603.tif 000007
【図６】
2004222603.tif 000008
【図７】
2004222603.tif 000009
【図８】
2004222603.tif 000010
【図９】
2004222603.tif 000011
【図１０】
2004222603.tif 000012
【図１１】
2004222603.tif 000013
【図１２】
2004222603.tif 000014
【図１３】
2004222603.tif 000015